【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
見出語と説明情報とが複数対応付けられた内容のテキストデータを記憶するデータ記憶手段と、
ユーザ操作に基づいて、前記テキストデータの表示形式を辞書形式または読物形式として指定する表示形式指定手段と、
前記テキストデータの表示形式が読物形式として指定された場合に、読物形式としての前回の指定によって最終的に表示された最終表示部分から前記テキストデータの内容を表示させるとともにユーザ操作に基づいて当該テキストデータの表示部分を変更して表示させる読物表示制御手段と、
前記テキストデータの表示形式が辞書形式として指定された場合に、ユーザ操作による見出語の指定に応答して、指定された見出語に対応する説明情報を前記テキストデータから読み出して表示させる辞書表示制御手段と、
を備えることを特徴とする情報表示制御装置。
【請求項２】
請求項１記載の情報表示制御装置において、
前記辞書表示制御手段は、
前記テキストデータ内で所定の識別コードにより識別表示される文字列を見出語として検出する見出語検出手段を有することを特徴とする情報表示制御装置。
【請求項３】
請求項１または２記載の情報表示制御装置において、
前記辞書表示制御手段は、
前記テキストデータの見出語一覧を表示させる見出語一覧表示制御手段と、
ユーザ操作に基づいて前記見出語一覧から何れかの見出語を指定する見出語指定手段と、
前記見出語指定手段により指定された指定見出語についての説明情報を、前記見出語一覧とは別領域で表示させるプレビュー表示制御手段と、
を有することを特徴とする情報表示制御装置。
【請求項４】
請求項３記載の情報表示制御装置において、
前記プレビュー表示制御手段は、
前記見出語指定手段により指定される見出語が変更される度に、変更後の見出語の説明情報を、前記テキストデータから読み出して表示させることを特徴とする情報表示制御装置。
【請求項５】
請求項３または４記載の情報表示制御装置において、
前記辞書表示制御手段は、
ユーザ操作に基づいて前記指定見出語と、この指定見出語の説明情報とを全画面表示させる全画面表示制御手段を有することを特徴とする情報表示制御装置。
【請求項６】
請求項１〜５の何れか一項に記載の情報表示制御装置において、
各見出語に説明情報を対応付けてなる辞書データベースを複数記憶する複数辞書記憶手段と、
ユーザ操作による見出語の指定に応答して、指定された見出語に対応する説明情報を、前記複数辞書記憶手段に記憶された複数の辞書データベースのうち、何れかの辞書データベースから読み出して表示させる説明情報表示制御手段と、
この説明情報表示制御手段により説明情報の読み出された見出語をヒストリ見出語として、辞書データベースごとに蓄積記憶する辞書ヒストリ記憶手段と、
ユーザ操作による辞書データベース及び前記ヒストリ見出語の指定に応答して、指定のヒストリ見出語に対応する説明情報を、指定の辞書データベースから読み出して表示させる辞書ヒストリ表示制御手段と、
を備えることを特徴とする情報表示制御装置。
【請求項７】
請求項１〜６の何れか一項に記載の情報表示制御装置において、
ユーザ操作に基づいて、前記テキストデータの内容のうち、前記読物表示制御手段により表示制御されている部分をヒストリ表示部分として蓄積記憶する読物ヒストリ記憶手段と、
ユーザ操作による前記ヒストリ表示部分の指定に応答して、指定のヒストリ表示部分から前記テキストデータの内容を表示させる読物ヒストリ表示制御手段と、
を備えることを特徴とする情報表示制御装置。
【請求項８】
コンピュータに、
見出語と説明情報とが複数対応付けられた内容のテキストデータを記憶するデータ記憶機能と、
ユーザ操作に基づいて、前記テキストデータの表示形式を辞書形式または読物形式として指定する表示形式指定機能と、
前記テキストデータの表示形式が読物形式として指定された場合に、読物形式としての前回の指定によって最終的に表示された最終表示部分から前記テキストデータの内容を表示させるとともにユーザ操作に基づいて当該テキストデータの表示部分を変更して表示させる読物表示制御機能と、
前記テキストデータの表示形式が辞書形式として指定された場合に、ユーザ操作による見出語の指定に応答して、指定された見出語に対応する説明情報を前記テキストデータから読み出して表示させる辞書表示制御機能と、
を実現させることを特徴とする情報表示制御プログラム。
【手続補正２】
【補正対象書類名】明細書
【補正対象項目名】０００８
【補正方法】変更
【補正の内容】
【０００８】
請求項１記載の発明は、情報表示制御装置（例えば、図１の電子辞書装置１）において、
見出語と説明情報とが複数対応付けられた内容のテキストデータ（例えば、図２のテキストデータ８３０）を記憶するデータ記憶手段（例えば、図２のフラッシュＲＯＭ８；図９のステップＳ１）と、
ユーザ操作に基づいて、前記テキストデータの表示形式を辞書形式または読物形式として指定する表示形式指定手段（例えば、図２の入力部５；図１０のステップＴ１，Ｔ１１）と、
前記テキストデータの表示形式が読物形式として指定された場合に、読物形式としての前回の指定によって最終的に表示された最終表示部分から前記テキストデータの内容を表示させるとともにユーザ操作に基づいて当該テキストデータの表示部分を変更して表示させる読物表示制御手段（例えば、図２のＣＰＵ６及び情報表示制御プログラム８１；図１０のステップＴ１２）と、
前記テキストデータの表示形式が辞書形式として指定された場合に、ユーザ操作による見出語の指定に応答して、指定された見出語に対応する説明情報を前記テキストデータから読み出して表示させる辞書表示制御手段（例えば、図２のＣＰＵ６及び情報表示制御プログラム８１；図１０のステップＴ７）と、
を備えることを特徴とする。
【手続補正３】
【補正対象書類名】明細書
【補正対象項目名】００１８
【補正方法】変更
【補正の内容】
【００１８】
請求項８記載の発明は、情報表示制御プログラム（例えば、図２の情報表示制御プログラム８１）において、
コンピュータ（例えば、図１の電子辞書装置１）に、
見出語と説明情報とが複数対応付けられた内容のテキストデータ（例えば、図２のテキストデータ８３０）を記憶するデータ記憶機能（例えば、図９のステップＳ１）と、
ユーザ操作に基づいて、前記テキストデータの表示形式を辞書形式または読物形式として指定する表示形式指定機能（例えば、図１０のステップＴ１，Ｔ１１）と、
前記テキストデータの表示形式が読物形式として指定された場合に、読物形式としての前回の指定によって最終的に表示された最終表示部分から前記テキストデータの内容を表示させるとともにユーザ操作に基づいて当該テキストデータの表示部分を変更して表示させる読物表示制御機能（例えば、図１０のステップＴ１２）と、
前記テキストデータの表示形式が辞書形式として指定された場合に、ユーザ操作による見出語の指定に応答して、指定された見出語に対応する説明情報を前記テキストデータから読み出して表示させる辞書表示制御機能（例えば、図１０のステップＴ７）と、
を実現させることを特徴とする。
【手続補正４】
【補正対象書類名】明細書
【補正対象項目名】００１９
【補正方法】変更
【補正の内容】
【００１９】
請求項１，８記載の発明によれば、表示形式が辞書形式として指定された場合に、ユーザ操作により指定された見出語に対応する説明情報がテキストデータから読み出されて表示されるので、テキストデータの内容を辞書として使用することができる。
また、表示形式が読物形式として指定された場合には、読物形式としての前回の指定によって最終的に表示された最終表示部分からテキストデータの内容を表示させるとともに、ユーザ操作に基づいて当該テキストデータの表示部分を変更して表示させるので、辞書的なテキストデータであっても、その内容を通し読みの対象、つまり読物として使用することができる。このように、テキストデータを、見出語の説明部分を表示させる辞書としても、通し読みできる読物としても、利用することができる。